【事件の表示】
　商願２００４−５３２８６拒絶査定不服審判事件について、次のとおり審決する。
【結　論】
　原査定を取り消す。
　本願商標は、登録すべきものとする。
【理　由】
第１　本願商標
　本願商標は、別掲のとおりの構成よりなり、第１６類、第２５類、第２９類、第３０類、第３２類及び第４３類に属する願書記載の商品及び役務を指定商品及び指定役務として、平成１６年６月９日に登録出願され、その後、指定商品については、原審における同１７年１月２５日付けの手続補正書により、第１６類「印刷物」、第３０類「コーヒー及びココア，コーヒー豆，茶，みそ，ウースターソース，ケチャップソース，しょうゆ，食酢，酢の素，そばつゆ，ドレッシング，ホワイトソース，マヨネーズソース，焼肉のたれ，角砂糖，果糖，氷砂糖，砂糖，麦芽糖，はちみつ，ぶどう糖，粉末あめ，水あめ，ごま塩，食塩，すりごま，セロリーソルト，化学調味料，香辛料，食品香料（精油のものを除く），米，脱穀済みの大麦，食用粉類，食用グルテン，穀物の加工品，サンドイッチ，すし，ピザ，べんとう，ミートパイ，ラビオリ，菓子及びパン，即席菓子のもと，アイスクリームのもと，シャーベットのもと，アーモンドペースト，イーストパウダー，こうじ，酵母，ベーキングパウダー，氷，アイスクリーム用凝固剤，家庭用食肉軟化剤，ホイップクリーム用安定剤，酒かす」、第３２類「ビール，清涼飲料，果実飲料，飲料用野菜ジュース，乳清飲料」及び第４３類「飲食物の提供」と補正されたものである。
　
第２　引用商標
　原査定において、本願商標が商標法第４条第１項第１１号に該当するとして本願の拒絶の理由に引用した商標は、以下のとおりである。
１　商標の構成態様：「ラブ」の文字を縦書きしたもの
　登録第３７２４１９号商標(以下「引用Ａ商標」という。)は、昭和２２年５月２３日に登録出願、第１類に属する商標登録原簿に記載のとおりの商品を指定商品として、同２３年５月８日に設定登録、その後、４回にわたって商標権存続期間の更新登録がされ、さらに、指定商品については、昭和５８年３月９日に、商標権一部取消し審判の確定登録により、指定商品中「水ガラス」についての登録が取り消されているものである。
２　商標の構成態様：「ラブ」の文字を横書きしたもの
　登録第２２１９２３２号商標(以下「引用Ｂ商標」という。)は、昭和４６年８月５日に登録出願、第４類に属する商標登録原簿に記載の商品を指定商品として、平成２年３月２７日に設定登録、その後、平成１２年５月２３日に商標権存続期間の更新登録がされたものである。
３　商標の構成態様：「ＬＯＶＥ」の文字を横書きしたもの(若干のレタリングを施したものを含む。）
（１）登録第７０３６４５号商標(以下「引用Ｃ商標」という。)は、昭和３９年１０月２４日に登録出願、第３０類に属する商標登録原簿に記載のとおりの商品を指定商品として、同４１年４月８日に設定登録、その後、３回にわたって商標権存続期間の更新登録がされたものである。
（２）登録第２０４７８４４号商標(以下「引用Ｄ商標」という。)は、昭和６０年４月１２日に登録出願、第１類に属する商標登録原簿に記載の商品を指定商品として、同６３年５月２６日に設定登録、その後、平成１０年４月２１日に商標権存続期間の更新登録がされたものである。
（３）登録第２１３１４４７号商標(以下「引用Ｅ商標」という。)は、昭和５９年１２月２４日に登録出願、第２９類に属する商標登録原簿に記載の商品を指定商品として、平成１年４月２８日に設定登録、その後、同１０年１２月１日に商標権存続期間の更新登録がされたものである。
（４）登録第２２１９２３１号商標(以下「引用Ｆ商標」という。)は、昭和４６年８月５日に登録出願、第４類に属する商標登録原簿に記載の商品を指定商品として、平成２年３月２７日に設定登録、その後、同１２年５月２３日に商標権存続期間の更新登録がされたものである。
（５）登録第３１４１８０７号商標(以下「引用Ｇ商標」という。)は、平成４年９月３０日に登録出願、第４２類に属する商標登録原簿に記載の役務を指定役務として、同８年４月３０日に設定登録されたものである。
（６）登録第４２７７２８０号商標(以下「引用Ｈ商標」という。)は、平成９年１２月２２日に登録出願、第３類に属する商標登録原簿に記載の商品を指定商品として、同１１年５月２８日に設定登録されたものである。
（７）登録第４３２６６３４号商標(以下「引用Ｉ商標」という。)は、平成８年７月４日に登録出願、第１６類に属する商標登録原簿に記載の商品を指定商品として、同１１年１０月２２日に設定登録されたものである。
４　商標の構成態様：「ｌｏｖｅ」、「ＬＯＶＥ」、または筆記体風の「Ｌｏｖｅ」の各文字と「ラブ」の文字とを、それぞれ二段に横書きしたもの
（１）登録第１４７３０５７号商標(以下「引用Ｊ商標」という。)は、昭和５２年２月９日に登録出願、第３３類に属する商標登録原簿に記載の商品を指定商品として、同５６年７月３１日に設定登録、その後、２回にわたって商標権存続期間の更新登録がされ、さらに、指定商品については、平成１４年５月２２日に、第２９類「豆，食用たんぱく」、第３０類「米，脱穀済みのえん麦，脱穀済みの大麦，食用粉類，食用グルテン」及び第３１類「あわ，きび，ごま，そば，とうもろこし，ひえ，麦，籾米，もろこし，飼料用たんぱく，種子類」とする書換登録がされたものである。
（２）登録第２４３１６１７号商標(以下「引用Ｋ商標」という。)は、昭和４８年５月１０日に登録出願、第４類に属する商標登録原簿に記載の商品を指定商品として、平成４年７月３１日に設定登録、その後、同１４年５月２８日に商標権存続期間の更新登録がされ、さらに、指定商品については、同１６年３月３日に、第３類「歯みがき，化粧品，香料類，薫料」及び第３０類「食品香料（精油のものを除く。）」とする書換登録がされたものである。
（３）登録第３３６０３９８号商標(以下「引用Ｌ商標」という。)は、平成６年２月２４日に登録出願、第１６類に属する商標登録原簿に記載の商品を指定商品として、同９年１１月２１日に設定登録されたものである。
（４）登録第４１３８６５５号商標(以下「引用Ｍ商標」という。)は、平成８年７月４日に登録出願、第３３類に属する商標登録原簿に記載の商品を指定商品として、同１０年４月２４日に設定登録されたものである。
（５）登録第２５３５７５８号商標(以下「引用Ｎ商標」という。)は、平成２年１２月２１日に登録出願、第３０類に属する商標登録原簿に記載の商品を指定商品として、同５年５月３１日に設定登録、その後、同１５年４月８日に商標権存続期間の更新登録がされ、さらに、指定商品については、同１６年６月２３日に、第３０類「菓子及びパン」とする書換登録がされたものである。
（６）登録第２７１９９７１号商標(以下「引用Ｏ商標」という。)は、平成３年１１月１９日に登録出願、第３２類に属する商標登録原簿に記載の商品を指定商品として、同９年２月２４日に設定登録されたものである。
（７）登録第３１５００９０号商標(以下「引用Ｐ商標」という。)は、平成５年８月２０日に登録出願、第２９類に属する商標登録原簿に記載の商品を指定商品として、同８年４月３０日に設定登録、その後、同１８年１月２４日に商標権存続期間の更新登録がされたものである。
（８）登録第４５２２９７６号商標(以下「引用Ｑ商標」という。)は、平成１３年１月９日に登録出願、第３類に属する商標登録原簿に記載の商品を指定商品として、同１３年１１月１６日に設定登録されたものである。
５　商標の構成態様：太い輪郭線からなるハート形図形及びその下部に横書きされた「ラブ」の文字とからなるもの
　登録第１３６５６６４号の２商標(以下「引用Ｒ商標」という。)は、昭和４９年１０月２日に登録出願、第３１類に属する商標登録原簿に記載の商品を指定商品として、同５３年１２月２２日に設定登録されたものであるが、同５９年５月１４日に商標権の分割移転がされ、指定商品を、第４類「乳製品(但しバターを除く)」として登録され、その後、２回にわたって商標権存続期間の更新登録がされているものである。
６　商標の構成態様：「ＬＡＢ」の文字を横書きしてなるもの
　登録第４０２８２９５号商標(以下「引用Ｓ商標」という。)は、平成７年１２月１日に登録出願、第３類に属する商標登録原簿に記載の商品を指定商品として、同９年７月１８日に設定登録されたものである。
７　商標の構成態様：「ＬＡＢ」の文字と「ラブ」の文字を二段に横書きしてなるもの
　登録第４０２８２９６号商標(以下「引用Ｔ商標」という。)は、平成７年１２月１日に登録出願、第３類に属する商標登録原簿に記載の商品を指定商品として、同９年７月１８日に設定登録され、その後、指定商品については、同１８年６月２３日に、商標権一部取消し審判の確定登録により、指定商品中「化粧品」についての登録が取り消されているものである。
８　商標の構成態様：「ＰＩＺＺＡ-ＬＡ」の文字を横書きしてなるもの
　登録第４０２７５２６号商標(以下「引用Ｕ商標」という。)は、平成７年７月１３日に登録出願、第１６類に属する商標登録原簿に記載の商品を指定商品として、同９年７月１１日に設定登録されたものである。
　
第３　当審の判断
１　前記第２に示した原査定で引用した商標中、引用Ｕ商標の商標権は、商標登録原簿の記載に徴すれば、登録名義人の表示の変更により、その権利者の住所と本願の出願人(請求人)の住所とが同一となったものであり、その変更の登録が平成１７年８月１２日にされているものである。
　したがって、本願の出願人(請求人)と引用Ｕ商標の権利者は同一人になったものであるから、引用Ｕ商標を引用する本願の拒絶の理由は解消した。
２　本願商標は、別掲のとおり、２片のピザと思しきものを重ねてハート形状に表した図形と、該図形の下部に野菜(トマト、アスパラガスなど)を用いて表したとみられる「ＬＯＶＥ」の文字を配し、かつ、その下部に青色で「ＰＩＺＡＡ-ＬＡ」の文字を配してなる構成であるところ、該構成中の文字部分には、文字の大きさ、色彩や表示方法と相違するところがあるにしても、図形部分をも含めた全体として、まとまりよく一体的に構成されているものであるから、該二段に表してなる文字部分も一体不可分のものとして理解・認識されるとみるのが相当である。そして、これより生ずると認められる「ラブピザーラ」の称呼もさほど冗長というほどのものではなく、よどみなく一連に称呼し得るものである。
　してみれば、本願商標は、その構成中の文字部分全体に相応して、「ラブピザーラ」の称呼のみを生ずるものと判断するのが相当である。
３　したがって、本願商標から単に「ラブ」の称呼をも生ずるとし、そのうえで、本願商標と引用Ａないし引用Ｔ商標とが称呼上類似するものとして、本願商標を商標法第４条第１項第１１号に該当するとした原査定は、取消しを免れない。
　その他、政令で定める期間内に、本願について拒絶の理由を発見しない。
　よって、結論のとおり審決する。